(57)【要約】【課題】  棒鋼圧延用の搬送設備として使用されるターンテーブルのスケールホッパ装置を提供する。【解決手段】  材料搬送用のターンテーブルであって、ターンテーブル下にテーブルローラ部分を２分割するホッパーを有し、該ホッパー下部には開閉可能な排出口を設けたターンテーブルスケールホッパ装置。また、上記ターンテーブルにおいて、ホッパーに溜められたスケールを排出する際に、所定のスケールシュートの位置にスケール排出口を合わせ、該ホッパー下部のスケール排出口を開けることにより、スケール処理を行うターンテーブルスケールホッパ装置。【選択図】    図１
2005169416.tif 000002
【特許請求の範囲】
【請求項１】
材料搬送用のターンテーブルであって、ターンテーブル下にテーブルローラ部分を２分割するホッパーを有し、該ホッパー下部には開閉可能な排出口を設けたことを特徴とするターンテーブルスケールホッパ装置。
【請求項２】
請求項１に記載するターンテーブルにおいて、ホッパーに溜められたスケールを排出する際に、所定のスケールシュートの位置にスケール排出口を合わせ、該ホッパー下部のスケール排出口を開けることにより、スケール処理を行うことを特徴とするターンテーブルスケールホッパ装置。
【発明の詳細な説明】
【技術分野】
【０００１】
本発明は、棒鋼圧延用の搬送設備として使用されるターンテーブルのスケールホッパ装置に関するものである。
【背景技術】
【０００２】
従来、棒鋼圧延用の搬送設備で搬送方向を変える場合にはターンテーブルを使用し搬送中の材料の転回を行う。図３は、従来のターンテーブルの概略平面図であり、図４は、従来のターンテーブルの概略側面図である。この図３および図４に示すように、加熱炉より抽出された圧延材料を分塊圧延機へ送り込む場合に、搬送方向が９０°変わっている場合のものである。この場合、加熱炉より抽出された圧延材料はターンテーブル２手前の搬入側テーブル１までテーブルローラ４が回転することにより搬送され、ターンテーブル２が搬入側テーブル１方向を向いている状態でターンテーブル２上に送り込まれ、搬出側テーブル３方向へ９０°転回し、搬出側テーブル３へ搬送されていく構造になっている。なお、符号５はテーブルローラ駆動用モータであり、６はターンテーブル転回軸であり、７はレールであり、８は車軸をそれぞれ示す。
【０００３】
一方、圧延前の圧延材料表面には、加熱時に発生したスケールが付着しており、スケールの一部は上述したような搬送中に剥離落下する。従来、通常のテーブルローラ下には、スケールシュートを設置し高圧水などを利用してスケール処理をすることが一般的に行なわれている。しかし、ターンテーブルでは、テーブルが転回することによりスケールは広範囲に落下することやターンテーブル中心には、転回用の軸があることによりスケールシュートを設置してスケール処理をすることが出来なかった。そのため、従来のターンテーブルでは、落下したスケールは、テーブルローラの間を通って落下し、そのまま地面に堆積し、一定量スケールが堆積すると、スケールの除去を行う必要があり、処理時間に時間と労力をかけて除去作業を行っているのが実状である。
【発明の開示】
【発明が解決しようとする課題】
【０００４】
本発明が解決しようとする課題は、上述したように圧延材料をターンテーブル上で転回・搬送時に圧延材料表面から落下するスケールがターンテーブル下の地面に堆積することなく、容易にスケール処理することを可能としたターンテーブルのスケールホッパ装置を提供するものである。
【課題を解決するための手段】
【０００５】
その発明の要旨とするところは、                                                （１）材料搬送用のターンテーブルであって、ターンテーブル下にテーブルローラ部分を２分割するホッパーを有し、該ホッパー下部には開閉可能な排出口を設けたことを特徴とするターンテーブルスケールホッパ装置。
（２）前記（１）に記載するターンテーブルにおいて、ホッパーに溜められたスケールを排出する際に、所定のスケールシュートの位置にスケール排出口を合わせ、該ホッパー下部のスケール排出口を開けることにより、スケール処理を行うことを特徴とするターンテーブルスケールホッパ装置である。
【０００６】
すなわち、ターンテーブルのテーブルローラ下に２分割されたホッパーを設置し、ホッパーの下部には開閉可能なスケール排出口を設置し、通常はスケール排出口を閉じておき圧延材料から落下したスケールは、ホッパー内に堆積されるようにしておく。堆積したスケールを排出時は所定のスケールシュートにホッパー下部のスケール排出口を合わせ排出口を開けることにより容易にスケール処理できるターンテーブルスケールホッパ装置にある。
【発明の効果】
【０００７】
以上説明したように、本発明のターンテーブルスケールホッパ装置は、テーブルローラ下にスケールホッパを有するので、圧延材料表面より剥離落下したスケールは、ターンテーブル下の地面に堆積することなくホッパ内に溜められる。また、ターンテーブル下にスケールシュートを有することで、スケールホッパ内に溜められたスケールを排出する場合は、スケールシュートに、スケール排出口を合わせ、スケール排出口に設置した開閉扉を開けることにより、スケールシュートに落下させ、容易にスケール処理作業を行うことが出来る。
【発明を実施するための最良の形態】
【０００８】
以下、本発明について、図１および図２を用いて説明する。図１は、本発明に係るターンテーブルスケールホッパ装置の概略平面図であり、図２は、本発明に係るターンテーブルスケールホッパ装置の概略側面図を示す。この図１および図２に示すように、テーブルローラ４の下に２分割されたスケールホッパ９が配置される。各スケールホッパ９の中央下部には、スケール排出口１０が設けられており、シリンダー１２を介して開閉可能な開閉扉１１が設置される。ターンテーブル基礎部分には、スケールシュート１３が設けられており、高圧水ノズル１４より高圧水をスケールシュート１３に向けて噴出できる機構とする。
【０００９】
運転中は、開閉扉１１は閉じられ圧延材料表面より落下したスケールは、テーブルローラ４の間を通りスケールホッパ９内に溜められる。スケールホッパ９内に溜められたスケールを処理する際には、ターンテーブル２のスケール排出口１０をスケールシュート１３に合わせて停止させ、シリンダー１２を作動させ、開閉扉１１を開けることによりスケールホッパ９内に溜められたスケールは、スケールシュート１３へと排出され、高圧水ノズル１４から噴出される高圧水によりスケールシュート１３上を通過しスケール処理が行える。
【００１０】
２分割されたスケールホッパ９の他方のスケール処理を行う場合は、ターンテーブルを１８０°転回し、スケール処理しようとするスケールホッパー９のスケール排出口１０をスケールシュート１３に合わせ、上述の処理を行うことにより、圧延材料表面から落下したスケールがターンテーブル下の地面に堆積することなく、２分割されたスケールホッパ９内に溜めてスケール処理が容易に行うことが出来るようになる。
【実施例】
【００１１】
本実施例では、転回径６４００ｍｍ、テーブル全長５５００ｍｍ、テーブルローラ幅１８００ｍｍのターンテーブルにおいて、テーブルローラ下に長さ２５００ｍｍ、幅２０００ｍｍ、高さ６００ｍｍのスケールホッパを設置し、スケールホッパ下部には、３００ｍｍ角のスケール排出口を設け、該スケール排出口には、エアーシリンダーを介して開閉可能な開閉扉を有する。また、ターンテーブル下には、幅５００ｍｍ、勾配１／１３のスケールシュートを設置する。
【００１２】
搬送中の圧延材料から剥離落下するスケールは、すべてホッパー内に溜められ、溜められたスケールを排出する際は、排出口をスケールシュート上に合わせ、排出口の開閉扉を開けることにより、容易にスケール処理を行うことが出来た。従来のターンテーブルでのスケール処理には、約２時間かかっていたものが、本発明により約１０分で容易に処理できた。
【図面の簡単な説明】
【００１３】
【図１】本発明に係るターンテーブルスケールホッパ装置の概略平面図である。
【図２】本発明に係るターンテーブルスケールホッパ装置の概略側面図である。
【図３】従来のターンテーブルの概略平面図である。
【図４】従来のターンテーブルの概略平面図である。
【符号の説明】
【００１４】
１  搬入側テーブル
２  ターンテーブル
３  搬出側テーブル
４  テーブルローラ
５  テーブルローラ駆動用モータ
６  ターンテーブル転回軸
７  レール
８  車輪
９  スケールホッパ
１０  スケール排出口
１１  開閉扉
１２  シリンダー
１３  スケールシュート
１４  高圧水ノズル
特許出願人  山陽特殊製鋼株式会社
【図１】
2005169416.tif 000003
【図２】
2005169416.tif 000004
【図３】
2005169416.tif 000005
【図４】
2005169416.tif 000006